(57)【要約】  本発明は、モバイル通信端末およびそれの無線周波電力増幅器を制御するための方法を開示する。モバイル通信端末は、信号処理モジュールと無線周波電力増幅器とを含み、信号処理モジュールは、無線周波電力増幅器の無線周波信号入力端に、データパケットの1つのグループに対応する無線周波信号を出力し、無線周波電力増幅器のイネーブル信号入力端にイネーブル信号を同期的に出力し、信号処理モジュールが、第1の所定の持続時間内にイネーブル信号入力端にイネーブル信号を出力することを周期的に停止し、第2の所定の持続時間内に無線周波信号入力端に、パイロットデータの少なくとも一片に対応する無線周波信号を出力し、イネーブル信号入力端にイネーブル信号を同期的に出力する。上記の開示した内容を使用することによって、本発明で開示する技術的解決策は、モバイル通信端末の電力消費量を効果的に低減しながら、アップリンクトラフィックチャネルの通常の動作を保証することができる。
2015530775.tif 000002
【特許請求の範囲】
【請求項１】
基地局とのアップリンクトラフィックチャネルを確立するモバイル通信端末であって、信号処理モジュールと無線周波電力増幅器とを含み、
前記信号処理モジュールが、前記無線周波電力増幅器の無線周波信号入力端に、データパケットの1つのグループに対応する無線周波信号を出力し、前記無線周波電力増幅器のイネーブル信号入力端にイネーブル信号を同期的に出力するように構成され、
データパケットの前記グループに対応する前記無線周波信号が前記無線周波信号入力端に出力された後の時間と、データパケットの別のグループに対応する無線周波信号が前記無線周波信号入力端に出力されるときの時間との間の持続時間内に、前記信号処理モジュールが、第1の所定の持続時間内に前記イネーブル信号入力端に前記イネーブル信号を出力することを周期的に停止し、第2の所定の持続時間内に前記無線周波信号入力端に、パイロットデータの少なくとも一片に対応する無線周波信号を出力し、前記イネーブル信号入力端に前記イネーブル信号を同期的に出力するように構成され、前記第1の所定の持続時間が、前記基地局のパイロット検出タイムアウト持続時間よりも短く、データパケットの前記グループとデータパケットの前記別のグループとが、前記アップリンクトラフィックチャネルを介して送信される必要があるデータパケットである、モバイル通信端末。
【請求項２】
前記無線周波信号入力端に、データパケットの前記グループに対応する前記無線周波信号を出力した後に、前記信号処理モジュールが、プリセット延長持続時間内に前記イネーブル信号入力端に前記イネーブル信号を出力し続けるようにさらに構成された、請求項1に記載のモバイル通信端末。
【請求項３】
データパケットの前記グループと、データパケットの前記別のグループと、前記パイロットデータとが、1つまたは複数の無線フレーム中に記録される、請求項1に記載のモバイル通信端末。
【請求項４】
前記無線周波電力増幅器が、前記無線周波信号入力端に入力される、データパケットの前記グループに対応する前記無線周波信号と、データパケットの前記別のグループに対応する前記無線周波信号と、パイロットデータの前記少なくとも一片に対応する前記無線周波信号とに対して電力増幅処理を実行するように構成された、請求項1に記載のモバイル通信端末。
【請求項５】
前記モバイル通信端末が、アンテナをさらに含み、前記無線周波電力増幅器が、無線周波信号出力端をさらに備え、前記無線周波電力増幅器が、前記無線周波信号出力端を使用することによって前記アンテナに、前記電力増幅処理の後のものである、データパケットの前記グループに対応する前記無線周波信号と、データパケットの前記別のグループに対応する前記無線周波信号と、パイロットデータの前記少なくとも一片に対応する前記無線周波信号とを送るように構成され、前記アンテナが、前記基地局に、前記電力増幅処理の後のものである、データパケットの前記グループに対応する前記無線周波信号と、データパケットの前記別のグループに対応する前記無線周波信号と、パイロットデータの前記少なくとも一片に対応する前記無線周波信号とを送るように構成された、請求項4に記載のモバイル通信端末。
【請求項６】
モバイル通信端末の無線周波電力増幅器を制御するための方法であって、前記モバイル通信端末が、基地局とのアップリンクトラフィックチャネルを確立し、前記モバイル通信端末が、信号処理モジュールと無線周波電力増幅器とを含み、前記方法が、
前記無線周波電力増幅器の無線周波信号入力端に、データパケットの1つのグループに対応する無線周波信号を出力し、前記無線周波電力増幅器のイネーブル信号入力端にイネーブル信号を同期的に出力するステップと、
データパケットの前記グループに対応する前記無線周波信号が前記無線周波信号入力端に出力された後の時間と、データパケットの別のグループに対応する無線周波信号が前記無線周波信号入力端に出力されるときの時間との間の持続時間内に、第1の所定の持続時間内に前記イネーブル信号入力端に前記イネーブル信号を出力することを周期的に停止し、第2の所定の持続時間内に前記無線周波信号入力端に、パイロットデータの少なくとも一片に対応する無線周波信号を出力し、前記イネーブル信号入力端に前記イネーブル信号を同期的に出力するステップであって、前記第1の所定の持続時間が、前記基地局のパイロット検出タイムアウト持続時間よりも短く、データパケットの前記グループとデータパケットの前記別のグループとが、前記アップリンクトラフィックチャネルを介して送信される必要があるデータパケットである、出力するステップと
を含む、方法。
【請求項７】
データパケットの前記グループに対応する前記無線周波信号が前記無線周波信号入力端に出力された後に、前記イネーブル信号が、プリセット延長持続時間内に前記イネーブル信号入力端にさらに出力され続ける、請求項6に記載の方法。
【請求項８】
データパケットの前記グループと、データパケットの前記別のグループと、前記パイロットデータとが、1つまたは複数の無線フレーム中に記録される、請求項6に記載の方法。
【請求項９】
前記無線周波電力増幅器が、前記無線周波信号入力端に入力される、データパケットの前記グループに対応する前記無線周波信号と、データパケットの前記別のグループに対応する前記無線周波信号と、パイロットデータの前記少なくとも一片に対応する前記無線周波信号とに対して電力増幅処理を実行する、請求項6に記載の方法。
【請求項１０】
前記モバイル通信端末が、アンテナをさらに含み、前記無線周波電力増幅器が、無線周波信号出力端をさらに備え、前記無線周波電力増幅器が、前記無線周波信号出力端を使用することによって前記アンテナに、前記電力増幅処理の後のものである、データパケットの前記グループに対応する前記無線周波信号と、データパケットの前記別のグループに対応する前記無線周波信号と、パイロットデータの前記少なくとも一片に対応する前記無線周波信号とを送り、前記アンテナが、前記基地局に、前記電力増幅処理の後のものである、データパケットの前記グループに対応する前記無線周波信号と、データパケットの前記別のグループに対応する前記無線周波信号と、パイロットデータの前記少なくとも一片に対応する前記無線周波信号とを送る、請求項9に記載の方法。
【発明の詳細な説明】
【技術分野】
【０００１】
本出願は、その全体が参照により本明細書に組み込まれる、2012年11月5日に中国特許庁に出願された「MOBILE COMMUNICATIONS TERMINAL, AND METHOD FOR CONTROLLING RADIO FREQUENCY POWER AMPLIFIER THEREOF」と題する中国特許出願第201210436138.7号の優先権を主張する。
【０００２】
本発明は、通信技術の分野に関し、特に、モバイル通信端末およびモバイル通信端末に基づいて無線周波電力増幅器を制御するための方法に関する。
【背景技術】
【０００３】
モバイルフォンおよびパーソナルハンディフォンシステムなどのモバイル通信端末では、電力増幅処理は、無線周波電力増幅器(RFPA、Radio Frequency Power Amplifier)を使用することによって無線周波信号に対して実行される必要があり、次いで、無線周波信号は、アンテナを使用することによって基地局に送られる。したがって、無線周波電力増幅器は、通常は、モバイル通信端末中で最大量の電力を消費するモジュールであり、無線周波電力増幅器の動作モードが適切に制御され得れば、電気量が節約されて、電力消費量を低減し、スタンバイ時間を長くすることができる。
【０００４】
図1を参照すると、図1は、従来技術における無線周波電力増幅器のピンの概略図である。図1に示すように、無線周波電力増幅器は、イネーブル信号入力端ENと、無線周波信号入力端RF_inと、無線周波信号出力端RF_outと、電源入力端VDDとを備えている。電源入力端VDDは、電力を供給するために電力供給を取得し、無線周波信号入力端RF_inは、無線周波信号を取得する。イネーブル信号入力がイネーブル信号を取得すると、無線周波電力増幅器は、動作状態に入り、取得された無線周波信号に対して電力増幅処理を実行し、無線周波信号出力端RF_outから出力し、イネーブル信号入力端ENがイネーブル信号を取得しないと、無線周波電力増幅器は、休止状態に入り、取得された無線周波信号に対して電力増幅処理を実行しない。休止状態での無線周波電力増幅器の電力消費量は、動作状態での無線周波電力増幅器の電力消費量よりもはるかに小さくなる。
【０００５】
図2を参照すると、図2は、従来技術における無線周波電力増幅器のイネーブル信号入力端ENにおけるイネーブル信号の入力のシーケンス図である。従来技術では、モバイル通信端末は、基地局とのアップリンクトラフィックチャネルを確立し、モバイル通信端末は、アップリンクトラフィックチャネルを介して基地局にアップリンクデータ信号を送る。図2に示すように、持続時間0〜T1'内に、イネーブル信号が、イネーブル信号入力端ENに入力され、無線周波電力増幅器は動作状態に入り、その間に、アップリンクトラフィックチャネルが確立され、モバイル通信端末は、基地局に、アップリンクトラフィックチャネルを確立するために使用されるシグナリングに対応する無線周波信号を送る必要がある。したがって、無線周波電力増幅器は、アップリンクトラフィックチャネルの確立を保証するために無線周波信号に対して電力増幅処理を実行する必要がある。
【０００６】
持続時間T1'〜T2'内に、イネーブル信号が、イネーブル信号入力端ENに入力され、無線周波電力増幅器は正常に動作し、その間に、モバイル通信端末は、基地局にデータパケットのグループを送る必要があり、ここで、データパケットのグループは、送られる前に無線周波信号に変調される必要があり、電力増幅処理が無線周波信号に対して実行される。したがって、その間に、無線周波電力増幅器がデータパケットのグループに対応する無線周波信号に対して電力増幅処理を実行するのを可能にする必要がある。
【０００７】
アップリンクトラフィックチャネルが確立された後、データパケットは、概して、連続的にではなく間欠的に送られる。すなわち、データパケットのグループの送信が完了した後、データパケットの別のグループが生成され、アップリンクトラフィックチャネルを介して基地局に送られる前に、ある時間期間の間待つ必要がある。
【０００８】
したがって、従来技術では、データパケットのグループの送信が完了したときの時間とデータパケットの別のグループが生成されるときの時間との間の持続時間T2'〜T3'内に、イネーブル信号入力端ENへのイネーブル信号の出力が停止され、その結果、無線周波電力増幅器は休止状態に入る。しかしながら、データパケットの別のグループが生成されると、イネーブル信号はイネーブル信号入力端ENに出力され、その結果、無線周波電力増幅器は動作状態に入り、無線周波電力増幅器は、データパケットの別のグループに対応する無線周波信号に対して電力増幅処理を実行し、それによって、エネルギー節約を実施する。
【０００９】
データパケットの別のグループに対応する無線周波信号に対する処理が完了した後、イネーブル信号入力端ENへのイネーブル信号の出力が持続時間T4'〜T5'内で停止され、その結果、無線周波電力増幅器は休止状態に入り、アップリンクトラフィックチャネルが除去される必要がある時間T5'において、イネーブル信号が、無線周波電力増幅器を使用可能にするために出力され、それによって、電力増幅処理が、無線周波電力増幅器中で、アップリンクトラフィックチャネルを除去するために使用されるシグナリング信号に対応する無線周波信号に対して実行され得ることを保証する。アップリンクトラフィックチャネルが除去された後、すなわち、時間T6'において、イネーブル信号の出力が停止され、無線周波電力増幅器が動作するのを停止する。
【００１０】
電力消費量を低減する目的を達成するために、従来技術では、無線周波電力増幅器は、アップリンクトラフィックチャネルがアイドル状態にある持続時間T2'〜T3'内および持続時間T4'〜T5'内に休止状態にあるように制御されるが、しかしながら、無線周波電力増幅器の電力増幅処理は、パイロットデータに対応し、その間にモバイル通信端末によって生成される無線周波信号に対して実行され得ず、その結果、基地局は、通常、パイロットデータに対応し、モバイル通信端末によって送られる無線周波信号を受信することができず、したがって、無線周波信号に従ってチャネル品質を評価することができない。この場合、基地局が、パイロット検出タイムアウト持続時間を超える時間間隔内に、パイロットデータに対応する無線周波信号を検出しない場合、基地局は、モバイル通信端末がオフラインであり、アップリンクトラフィックチャネルが異常に終了したと判断し、ダウンリンクトラフィックデータチャネルをアクティブに閉じ得、その結果、データサービスの呼ドロップが発生し、それによって、通信品質が劣化する。
【発明の概要】
【発明が解決しようとする課題】
【００１１】
本出願によって主に解決される技術的問題は、モバイル通信端末およびそれの無線周波電力増幅器を制御するための方法の実施形態を提供することであり、これは、電力消費量を効果的に低減しながら、アップリンクトラフィックチャネルの通常の動作を保証することができる。
【課題を解決するための手段】
【００１２】
第1の態様によれば、モバイル通信端末が提供され、モバイル通信端末は、基地局とのアップリンクトラフィックチャネルを確立し、モバイル通信端末は、信号処理モジュールと無線周波電力増幅器とを含み、信号処理モジュールは、無線周波電力増幅器の無線周波信号入力端に、データパケットの1つのグループに対応する無線周波信号を出力し、無線周波電力増幅器のイネーブル信号入力端にイネーブル信号を同期的に出力し、データパケットのグループに対応する無線周波信号が無線周波信号入力端に出力された後の時間と、データパケットの別のグループに対応する無線周波信号が無線周波信号入力端に出力されるときの時間との間の持続時間内に、信号処理モジュールが、第1の所定の持続時間内にイネーブル信号入力端にイネーブル信号を出力することを周期的に停止し、第2の所定の持続時間内に無線周波信号入力端に、パイロットデータの少なくとも一片に対応する無線周波信号を出力し、イネーブル信号入力端にイネーブル信号を同期的に出力し、第1の所定の持続時間は、基地局のパイロット検出タイムアウト持続時間よりも短く、データパケットのグループとデータパケットの別のグループとは、アップリンクトラフィックチャネルを介して送信される必要があるデータパケットである。
【００１３】
第1の態様の実装方法に関して、第1の可能な実装方法では、無線周波信号入力端に、データパケットのグループに対応する無線周波信号を出力した後に、信号処理モジュールは、プリセット延長持続時間内にイネーブル信号入力端にイネーブル信号をさらに出力し続ける。
【００１４】
第1の態様の実装方法に関して、第2の可能な実装方法では、データパケットのグループと、データパケットの別のグループと、パイロットデータとが、1つまたは複数の無線フレーム中に記録される。
【００１５】
第1の態様の実装方法に関して、第3の可能な実装方法では、無線周波電力増幅器は、無線周波信号入力端に入力される、データパケットのグループに対応する無線周波信号と、データパケットの別のグループに対応する無線周波信号と、パイロットデータの少なくとも一片に対応する無線周波信号とに対して電力増幅処理を実行する。
【００１６】
第1の態様の第3の可能な実装方法に関して、第4の可能な実装方法では、モバイル通信端末は、アンテナをさらに含み、無線周波電力増幅器は、無線周波信号出力端をさらに備え、無線周波電力増幅器は、無線周波信号出力端を使用することによってアンテナに、電力増幅処理の後のものである、データパケットのグループに対応する無線周波信号と、データパケットの別のグループに対応する無線周波信号と、パイロットデータの少なくとも一片に対応する無線周波信号とを送り、アンテナは、基地局に、電力増幅処理の後のものである、データパケットのグループに対応する無線周波信号と、データパケットの別のグループに対応する無線周波信号と、パイロットデータの少なくとも一片に対応する無線周波信号とを送る。
【００１７】
第2の態様によれば、モバイル通信端末の無線周波電力増幅器を制御するための方法が提供され、モバイル通信端末は、基地局とのアップリンクトラフィックチャネルを確立し、モバイル通信端末は、信号処理モジュールと無線周波電力増幅器とを含み、本方法は、無線周波電力増幅器の無線周波信号入力端に、データパケットの1つのグループに対応する無線周波信号を出力し、無線周波電力増幅器のイネーブル信号入力端にイネーブル信号を同期的に出力するステップと、データパケットのグループに対応する無線周波信号が無線周波信号入力端に出力された後の時間と、データパケットの別のグループに対応する無線周波信号が無線周波信号入力端に出力されるときの時間との間の持続時間内に、第1の所定の持続時間内にイネーブル信号入力端にイネーブル信号を出力することを周期的に停止し、第2の所定の持続時間内に無線周波信号入力端に、パイロットデータの少なくとも一片に対応する無線周波信号を出力し、イネーブル信号入力端にイネーブル信号を同期的に出力するステップであって、第1の所定の持続時間は、基地局のパイロット検出タイムアウト持続時間よりも短く、データパケットのグループとデータパケットの別のグループとは、アップリンクトラフィックチャネルを介して送信される必要があるデータパケットである、出力するステップとを含む。
【００１８】
第2の態様の実装方法に関して、第1の可能な実装方法では、データパケットのグループに対応する無線周波信号が無線周波信号入力端に出力された後に、イネーブル信号が、プリセット延長持続時間内にイネーブル信号入力端にさらに出力され続ける。
【００１９】
第2の態様の実装方法に関して、第2の可能な実装方法では、データパケットのグループと、データパケットの別のグループと、パイロットデータとが、1つまたは複数の無線フレーム中に記録される。
【００２０】
第2の態様の実装方法に関して、第3の可能な実装方法では、無線周波電力増幅器は、無線周波信号入力端に入力される、データパケットのグループに対応する無線周波信号と、データパケットの別のグループに対応する無線周波信号と、パイロットデータの少なくとも一片に対応する無線周波信号とに対して電力増幅処理を実行する。
【００２１】
第2の態様の第3の実装方法に関して、第4の可能な実装方法では、モバイル通信端末は、アンテナをさらに含み、無線周波電力増幅器は、無線周波信号出力端をさらに備え、無線周波電力増幅器は、無線周波信号出力端を使用することによってアンテナに、電力増幅処理の後のものである、データパケットのグループに対応する無線周波信号と、データパケットの別のグループに対応する無線周波信号と、パイロットデータの少なくとも一片に対応する無線周波信号とを送り、アンテナは、基地局に、電力増幅処理の後のものである、データパケットのグループに対応する無線周波信号と、データパケットの別のグループに対応する無線周波信号と、パイロットデータの少なくとも一片に対応する無線周波信号とを送る。
【００２２】
従来技術における状況とは異なり、本出願の実施形態におけるモバイル通信端末およびそれの無線周波電力増幅器を制御するための方法によれば、アップリンクトラフィックチャネルがアイドル状態にあるとき、無線周波電力増幅器を休止させるために、第1の所定の持続時間内に無線周波電力増幅器のイネーブル信号入力端へのイネーブル信号の出力が周期的に停止され、無線周波電力増幅器を動作させるために、第2の所定の持続時間内にパイロットデータの少なくとも一片に対応する無線周波信号が無線周波電力増幅器の無線周波信号入力端に出力され、イネーブル信号がイネーブル信号入力端に同期的に出力される。無線周波電力増幅器が第1の所定の持続時間内に休止しているので、電力消費量が低減され得る。第2の所定の持続時間内に、無線周波電力増幅器が使用可能にされ、パイロットデータの少なくとも一片に対応する無線周波信号が無線周波信号入力端に出力され、その結果、パイロットデータの少なくとも一片に対応する無線周波信号が後続の処理のために使用可能にされた無線周波電力増幅器に入力され得ることが保証され得、隣接する期間において、パイロットデータに対応する隣接する無線周波信号間の時間間隔は、基地局の、パイロットデータのための、パイロット検出タイムアウト持続時間よりも短い第1の所定の持続時間であるので、基地局は、パイロットデータに対応する無線周波信号が第1の所定の持続時間内に検出されないので、モバイル通信端末がオフラインであると判断せず、それによって、アップリンクトラフィックチャネルの通常の動作を保証する。
【図面の簡単な説明】
【００２３】
【図１】従来技術における無線周波電力増幅器のピンの概略図である。
【図２】従来技術における無線周波電力増幅器のイネーブル信号入力端におけるイネーブル信号の入力のシーケンス図である。
【図３】本発明の第1の実施形態による、モバイル通信端末の回路構造の概略図である。
【図４】本発明の第1の実施形態による、無線周波電力増幅器の電力供給のシーケンス図である。
【図５】本発明の第2の実施形態による、モバイル通信端末の無線周波電力増幅器を制御するための方法のフローチャートである。
【発明を実施するための形態】
【００２４】
本発明の実施形態は、モバイル通信端末を提供し、モバイル通信端末は、基地局とのアップリンクトラフィックチャネルを確立し、モバイル通信端末は、信号処理モジュールと無線周波電力増幅器とを含み、信号処理モジュールは、無線周波電力増幅器の無線周波信号入力端に、データパケットの1つのグループに対応する無線周波信号を出力し、無線周波電力増幅器のイネーブル信号入力端にイネーブル信号を同期的に出力し、データパケットのグループに対応する無線周波信号が無線周波信号入力端に出力された後の時間と、データパケットの別のグループに対応する無線周波信号が無線周波信号入力端に出力されるときの時間との間の持続時間内に、信号処理モジュールは、第1の所定の持続時間内にイネーブル信号入力端にイネーブル信号を出力することを周期的に停止し、第2の所定の持続時間内に無線周波信号入力端に、パイロットデータの少なくとも一片に対応する無線周波信号を出力し、イネーブル信号入力端にイネーブル信号を同期的に出力し、第1の所定の持続時間は、基地局のパイロット検出タイムアウト持続時間よりも短く、データパケットのグループとデータパケットの別のグループとは、アップリンクトラフィックチャネルを介して送信される必要があるデータパケットである。
【００２５】
本発明の実施形態は、モバイル通信端末の無線周波電力増幅器を制御するための方法をさらに提供し、モバイル通信端末は、基地局とのアップリンクトラフィックチャネルを確立し、モバイル通信端末は、信号処理モジュールと無線周波電力増幅器とを含み、本方法は、無線周波電力増幅器の無線周波信号入力端に、データパケットの1つのグループに対応する無線周波信号を出力し、無線周波電力増幅器のイネーブル信号入力端にイネーブル信号を同期的に出力するステップと、データパケットのグループに対応する無線周波信号が無線周波信号入力端に出力された後の時間と、データパケットの別のグループに対応する無線周波信号が無線周波信号入力端に出力されるときの時間との間の持続時間内に、第1の所定の持続時間内にイネーブル信号入力端にイネーブル信号を出力することを周期的に停止し、第2の所定の持続時間内に無線周波信号入力端に、パイロットデータの少なくとも一片に対応する無線周波信号を出力し、イネーブル信号入力端にイネーブル信号を同期的に出力するステップであって、第1の所定の持続時間は、基地局のパイロット検出タイムアウト持続時間よりも短く、データパケットのグループとデータパケットの別のグループとは、アップリンクトラフィックチャネルを介して送信される必要があるデータパケットである、出力するステップとを含む。
【００２６】
上記の技術的解決策を使用することによって、本発明の実施形態におけるモバイル通信端末およびそれの無線周波電力増幅器を制御する方法は、モバイル通信端末の電力消費量を効果的に低減しながら、アップリンクトラフィックチャネルの通常の動作を保証することができる。
【００２７】
以下では、具体的な実施形態を参照しながら本発明の実施形態によるモバイル通信端末およびそれの無線周波電力増幅器を制御するための方法について説明する。
【００２８】
図3を参照すると、図3は、本発明の第1の実施形態による、モバイル通信端末の回路構造の概略図である。図3に示すように、本実施形態では、本発明のモバイル通信端末10は、信号処理モジュール101と、電力供給モジュール102と、無線周波電力増幅器103と、アンテナ104とを含み、ここで、モバイル通信端末10は、アンテナ104を使用することによって基地局(図示せず)とワイヤレス通信を実行する。
【００２９】
無線周波電力増幅器103は、図1において説明した無線周波電力増幅器に一致し、無線周波電力増幅器103は、イネーブル信号入力端EN'と、無線周波信号入力端RF_in'と、無線周波信号出力端RF_out'と、電源入力端VDD'とを備えている。電源入力端VDD'は、電力を供給するために、電力供給モジュール102から電源を取得し、無線周波信号入力端RF_in'は、信号処理モジュール101から無線周波信号を取得し、イネーブル信号入力端EN'が、信号処理モジュール101からイネーブル信号を取得すると、無線周波電力増幅器103は、動作状態に入り、取得された無線周波信号に対して電力増幅処理を実行し、無線周波信号出力端RF_out'から出力し、イネーブル信号入力端EN'が、信号処理モジュール101からイネーブル信号を取得しないと、無線周波電力増幅器103は、休止状態に入り、取得された無線周波信号に対して電力増幅処理を実行しない。休止状態での無線周波電力増幅器103の電力消費量は、動作状態での電力消費量よりもはるかに小さくなる。
【００３０】
図4を参照すると、図4は、本発明の第1の実施形態による、無線周波電力増幅器103のイネーブル信号入力端EN'におけるイネーブル信号の入力のシーケンス図である。図4に示すように、図4では、水平軸は時間を表し、垂直軸は、イネーブル信号がイネーブル信号入力端EN'に入力されるかどうかを表す。垂直軸の値が「0」であるとき、イネーブル信号がイネーブル信号入力端EN'に入力されないことを示し、垂直軸の値が「1」であるとき、イネーブル信号がイネーブル信号入力端EN'に入力されることを示す。
【００３１】
図4に示すように、持続時間0〜T1内に、無線周波電力増幅器103を動作状態に入れるために、信号処理モジュール101は、無線周波電力増幅器103の無線周波信号入力端RF_in'に、アップリンクチャネルを確立するために使用されるシグナリングに対応する無線周波信号を出力し、イネーブル信号入力端EN'にイネーブル信号を同期的に出力する。その間に、モバイル通信端末10とのアップリンクトラフィックチャネルを確立することに対応するために、無線周波電力増幅器103は、無線周波信号に対して電力増幅処理を実行し、無線周波信号出力端RF_out'からアンテナ104に電力増幅処理の後のものである無線周波信号を出力し、アンテナ104は、基地局に無線周波信号を送り、無線周波信号を取得した後に、基地局は、復調処理を介して、アップリンクチャネルを確立するために使用されるシグナリングを取得する。
【００３２】
持続時間T1〜T2内に、無線周波電力増幅器103を動作状態に入れるために、信号処理モジュール101は、無線周波電力増幅器103の信号入力端に、データパケットの1つのグループに対応する無線周波信号を出力し、無線周波電力増幅器103のイネーブル信号入力端EN'にイネーブル信号を同期的に出力する。その間に、無線周波電力増幅器103は、無線周波信号に対して電力増幅処理を実行し、無線周波信号出力端RF_out'からアンテナ104に電力増幅処理の後のものである無線周波信号を出力し、アンテナ104は、基地局に無線周波信号を送り、無線周波信号を取得した後に、基地局は、復調処理を介して、データパケットのそのグループを取得し、それによって、データパケットの転送を実施し得る。
【００３３】
持続時間T2〜T3内に、無線周波電力増幅器103を動作状態に入れるために、信号処理モジュール101は、無線周波電力増幅器103の信号入力端に、データパケットのグループに対応する無線周波信号を出力した後に、イネーブル信号入力端EN'にイネーブル信号を出力し続ける。持続時間T2〜T3は、プリセット延長持続期間であり、送信が完了される前に(たとえば、信号処理モジュール101の出力は様々な理由により遅延する)、イネーブル信号を無線周波電力増幅器103に出力するのを停止し、それにより、無線周波電力増幅器103を休止状態に入れ、データ損失の状況を生じるのを回避するために、電力増幅処理のためにデータパケットのグループに対応する無線周波信号が無線周波信号入力端RF_in'に完全に送られることを保証することを目的とする。
【００３４】
本発明の代替実施形態では、プリセット延長持続期間は、必要に応じて設定されないことがある。プリセット延長持続期間は、データ送信精度に対する要件が低いシステムによって必要とされるものとして設定されないことがある。
【００３５】
持続時間T3〜T4内に、信号処理モジュール101は、第1の所定の持続時間Toff内にイネーブル信号入力端EN'にイネーブル信号を出力するのを周期的に停止し、信号入力端に、パイロットデータの少なくとも一片に対応する無線周波信号を出力し、第2の所定の持続時間Ton内にイネーブル信号入力端EN'にイネーブル信号を同期的に出力する。持続時間T3〜T4内に、アップリンクトラフィックチャネルは、電力消費量を低減するためにアイドル状態になり、この実施形態では、アップリンクトラフィックチャネルがアイドル状態にあるときに無線周波電力増幅器103が休止状態を周期的に維持することができることを保証するために、イネーブル信号は、第1の所定の持続時間Toff内にイネーブル信号入力端EN'に出力されるのを周期的に停止される。
【００３６】
モバイル通信端末10が基地局とのアップリンクトラフィックチャネルを確立した後、基地局は、パイロットデータがモバイル通信端末10から取得されるかどうかを断続的に検出し、パイロットデータが所定の持続時間内に取得されないとき、モバイル通信端末10がオフラインであると判断し、ここで、所定の持続時間は、パイロット検出タイムアウト持続時間である。
【００３７】
パイロット検出タイムアウト持続時間である時間間隔内にパイロットデータが検出されないので、モバイル通信端末10がオフラインであると基地局が判断するのを回避するために、本実施形態では、第2の所定の持続時間Ton内に、信号処理モジュール101が、信号入力端に、パイロットデータの少なくとも一片に対応する無線周波信号を出力し、イネーブル信号入力端EN'にイネーブル信号を同期的に出力し、第1の所定の持続時間Toffが、基地局のパイロット検出タイムアウト持続時間よりも短くなるように設定されるという設定を行う。
【００３８】
第2の所定の持続時間Ton内に、無線周波電力増幅器103が使用可能にされ、パイロットデータの少なくとも一片に対応する無線周波信号が無線周波信号入力端RF_in'に出力されるので、パイロットデータの少なくとも一片に対応する無線周波信号が後続の処理のために使用可能にされた無線周波電力増幅器103に入力され得ることが保証され得、隣接する期間において、パイロットデータに対応する隣接する無線周波信号間の時間間隔は、基地局の、パイロットデータのための、パイロット検出タイムアウト持続時間よりも短い第1の所定の持続時間Toffであるので、基地局は、パイロットデータに対応する無線周波信号が第1の所定の持続時間Toff内に検出されないので、モバイル通信端末10がオフラインであると判断せず、それによって、アップリンクトラフィックチャネルの通常の動作を保証する。
【００３９】
持続時間T4〜T5内に、無線周波電力増幅器103を動作状態に入れるために、信号処理モジュール101は、無線周波信号入力端RF_in'に、データパケットの別のグループに対応する無線周波信号を出力し、無線周波電力増幅器103のイネーブル信号入力端EN'にイネーブル信号を同期的に出力する。データパケットの別のグループとデータパケットの上記のグループとは、同じアップリンクトラフィックチャネルを介して送信される必要があるデータパケットであり、その間に、無線周波電力増幅器103は、無線周波信号に対して電力増幅処理を実行し、無線周波信号出力端RF_out'からアンテナ104に電力増幅処理の後のものである無線周波信号を出力し、アンテナ104は、基地局に無線周波信号を送り、無線周波信号を取得した後に、基地局は、復調処理を介して、データパケットのその別のグループを取得し、それによって、データパケットの転送を実施し得る。
【００４０】
持続時間T5〜T6内に、無線周波電力増幅器103を動作状態に入れるために、信号処理モジュール101は、無線周波電力増幅器103の信号入力端に、データパケットの別のグループに対応する無線周波信号を出力した後に、イネーブル信号入力端EN'にイネーブル信号を出力し続ける。持続時間T5〜T6は、プリセット延長持続期間であり、送信が完了される前に(たとえば、信号処理モジュール101の出力は様々な理由により遅延する)、イネーブル信号を無線周波電力増幅器103に出力するのを停止し、それにより、無線周波電力増幅器103を休止状態に入れ、データ損失の状況を生じるのを回避するために、電力増幅処理のためにデータパケットのグループに対応する無線周波信号が無線周波信号入力端RF_in'に完全に送られることを保証することを目的とする。無線周波電力増幅器103の機能は、上記の持続時間T2〜T3内の機能に一致する。
【００４１】
本発明の代替実施形態では、プリセット延長持続期間は、必要に応じて設定されないことがある。プリセット延長持続期間は、システム要件によりデータ送信精度に対する要件が高くない場合に設定されないことがある。
【００４２】
持続時間T6〜T7内に、信号処理モジュール101は、アップリンクトラフィックチャネルがアイドル状態にあるとき、第1の所定の持続時間Toff内にイネーブル信号入力端EN'にイネーブル信号を出力するのを周期的に停止し、信号入力端に、パイロットデータの少なくとも一片に対応する無線周波信号を出力し、第2の所定の持続時間Ton内にイネーブル信号入力端EN'にイネーブル信号を同期的に出力する。持続時間T5〜T6内の信号処理モジュール101と無線周波電力増幅器103との動作モードは、持続時間T3〜T4内の動作モードに一致し、詳細について、本明細書では繰り返し説明しない。
【００４３】
持続時間T7〜T8内は、アップリンクトラフィックチャネルを除去するために必要な時間であり、その持続時間内に、無線周波電力増幅器103を動作状態に入れるために、信号処理モジュール101は、無線周波電力増幅器103の無線周波信号入力端RF_in'に、アップリンクチャネルを除去するために使用されるシグナリングに対応する無線周波信号を出力し、イネーブル信号入力端EN'にイネーブル信号を同期的に出力する。その間に、アップリンクトラフィックチャネルを除去することに対応するために、無線周波電力増幅器103は、無線周波信号に対して電力増幅処理を実行し、無線周波信号出力端RF_out'からアンテナ104に電力増幅処理の後のものである無線周波信号を出力し、アンテナ104は、基地局に無線周波信号を送り、無線周波信号を取得した後に、基地局は、復調処理を介して、アップリンクチャネルを除去するために使用されるシグナリングを取得する。
【００４４】
本発明では、説明しやすいように、アップリンクトラフィックチャネルが確立された後の時間とアップリンクトラフィックチャネルの除去が開始する時間との間の持続時間T1〜T7内にアップリンクトラフィックチャネルを介して送信されるデータパケットを表すために、データパケットの1つのグループとデータパケットの別のグループとしか使用されていないことに留意されたい。しかしながら、実際の適用例では、データパケットの複数の間欠グループが、通常は、アップリンクトラフィックチャネルを介して送られる必要がある。データパケットの複数の間欠グループは、特定の持続時間だけ離れて離間され得、特定の持続時間内に、アップリンクサービス通信チャネルはアイドル状態になる。本発明の着想によれば、特定の持続時間内に、信号処理モジュール101は、第1の所定の持続時間Toff内にイネーブル信号入力端EN'にイネーブル信号を出力するのを周期的に停止し、信号入力端に、パイロットデータの少なくとも一片に対応する無線周波信号を出力し、第2の所定の持続時間Ton内にイネーブル信号入力端EN'にイネーブル信号を同期的に出力する。したがって、特定の持続時間内に、無線周波電力増幅器103は、第1の所定の持続時間Toff内に休止状態に周期的になり得、基地局は、パイロット信号を検出することができ、それによって、電力消費量を低減するだけでなく、チャネルの安定性を維持することも保証される。
【００４５】
さらに、データパケットの上記のグループと、データパケットの別のグループと、パイロットデータとが、1つまたは複数の無線フレーム中に記録される。好ましくは、パイロットデータの一片が1つの無線フレーム中に記録されることが望ましい。パイロットデータの一片が1つの無線フレーム中に記録されると、信号処理モジュール101は、第2の所定の持続時間Ton内に無線周波信号入力端RF_in'にパイロットデータの二片に対応する無線周波信号を出力し、第2の所定の持続時間Tonは、相応して、2つの無線フレームの持続時間よりも長く設定され得、それによって、基地局が、第2の所定の持続時間Ton内でパイロットデータの一片を少なくとも取得することができることを保証する。
【００４６】
以下で、図5を参照すると、図5は、本発明の第2の実施形態による、モバイル通信端末10の無線周波電力増幅器103を制御するための方法のフローチャートである。図5に示すように、本方法は、以下のステップを含む。
【００４７】
ステップ301:無線周波電力増幅器103の無線周波信号入力端RF_in'に、データパケットの1つのグループに対応する無線周波信号を出力し、無線周波電力増幅器103のイネーブル信号入力端EN'にイネーブル信号を同期的に出力する。
【００４８】
ステップ302:データパケットのグループに対応する無線周波信号が無線周波信号入力端RF_in'に出力された後の時間と、データパケットの別のグループに対応する無線周波信号が無線周波信号入力端RF_in'に出力されるときの時間との間の持続時間内に、第1の所定の持続時間Toff内にイネーブル信号入力端EN'にイネーブル信号を出力することを周期的に停止し、無線周波信号入力端RF_in'に、パイロットデータの少なくとも一片に対応する無線周波信号を出力し、第2の所定の持続時間Ton内にイネーブル信号入力端EN'にイネーブル信号を同期的に出力する。
【００４９】
上記の第1の所定の持続時間Toffは、基地局のパイロット検出タイムアウト持続時間よりも短く、データパケットのグループとデータパケットの別のグループとは、アップリンクトラフィックチャネルを介して送信される必要があるデータパケットである。
【００５０】
上記のステップ301〜302は図2に示した信号処理モジュール101によってすべて実行され、上記のステップは、図2に示した実施形態において詳細に説明したので、詳細について、本明細書では繰り返し説明しない。
【００５１】
したがって、上記の開示した内容に基づいて、本発明で開示する技術的解決策によれば、アップリンクトラフィックチャネルがアイドル状態にあるとき、無線周波電力増幅器103を休止させるために、第1の所定の持続時間Toff内に無線周波電力増幅器103のイネーブル信号入力端EN'へのイネーブル信号の出力が周期的に停止され、無線周波電力増幅器103を動作させるために、第2の所定の持続時間Ton内にパイロットデータの少なくとも一片に対応する無線周波信号が無線周波電力増幅器103の無線周波信号入力端RF_in'に出力され、イネーブル信号がイネーブル信号入力端EN'に同期的に出力される。無線周波電力増幅器103が第1の所定の持続時間Toff内に休止しているので、電力消費量が低減され得る。第2の所定の持続時間Ton内に、無線周波電力増幅器103が使用可能にされ、パイロットデータの少なくとも一片に対応する無線周波信号が無線周波信号入力端RF_in'に出力され、その結果、パイロットデータの少なくとも一片に対応する無線周波信号が後続の処理のために使用可能にされた無線周波電力増幅器103に入力され得ることが保証され得、隣接する期間において、パイロットデータに対応する隣接する無線周波信号間の時間間隔は、基地局の、パイロットデータのための、パイロット検出タイムアウト持続時間よりも短い第1の所定の持続時間Toffであるので、基地局は、パイロットデータに対応する無線周波信号が第1の所定の持続時間Toff内に検出されないので、モバイル通信端末10がオフラインであると判断せず、それによって、アップリンクトラフィックチャネルの通常の動作を保証する。
【００５２】
上記の説明は、本発明の実施形態にすぎず、本発明の特許範囲を限定するものではない。すべての等価な構造または本発明の明細書および添付の図面の内容に従ってなされるか、または本発明を他の関係する技術分野に直接または間接的に適用することによってなされる等価な処理の変更は、本発明の保護範囲内に入るものとする。
【符号の説明】
【００５３】
10  モバイル通信端末
101  信号処理モジュール
102  電力供給モジュール
103  無線周波電力増幅器
104  アンテナ
【図１】
2015530775.tif 000003
【図２】
2015530775.tif 000004
【図３】
2015530775.tif 000005
【図４】
2015530775.tif 000006
【図５】
2015530775.tif 000007
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
基地局とのアップリンクトラフィックチャネルを確立するモバイル通信端末であって、信号処理モジュールと無線周波電力増幅器とを含み、
前記信号処理モジュールが、前記無線周波電力増幅器の無線周波信号入力端に、データパケットの1つのグループに対応する無線周波信号を出力し、前記無線周波電力増幅器のイネーブル信号入力端にイネーブル信号を同期的に出力するように構成され、
データパケットの前記グループに対応する前記無線周波信号が前記無線周波信号入力端に出力された後の時間と、データパケットの別のグループに対応する無線周波信号が前記無線周波信号入力端に出力されるときの時間との間の持続時間内に、前記信号処理モジュールが、第1の所定の持続時間内に前記イネーブル信号入力端に前記イネーブル信号を出力することを周期的に停止し、第2の所定の持続時間内に前記無線周波信号入力端に、パイロットデータの少なくとも一片に対応する無線周波信号を出力し、前記イネーブル信号入力端に前記イネーブル信号を同期的に出力するように構成され、前記第1の所定の持続時間が、前記基地局のパイロット検出タイムアウト持続時間よりも短く、データパケットの前記グループとデータパケットの前記別のグループとが、前記アップリンクトラフィックチャネルを介して送信される必要があるデータパケットである、モバイル通信端末。
【請求項２】
前記無線周波信号入力端に、データパケットの前記グループに対応する前記無線周波信号を出力した後に、前記信号処理モジュールが、プリセット延長持続時間内に前記イネーブル信号入力端に前記イネーブル信号を出力し続けるようにさらに構成された、請求項1に記載のモバイル通信端末。
【請求項３】
データパケットの前記グループと、データパケットの前記別のグループと、前記パイロットデータとが、1つまたは複数の無線フレーム中に記録される、請求項1または2に記載のモバイル通信端末。
【請求項４】
前記無線周波電力増幅器が、前記無線周波信号入力端に入力される、データパケットの前記グループに対応する前記無線周波信号と、データパケットの前記別のグループに対応する前記無線周波信号と、パイロットデータの前記少なくとも一片に対応する前記無線周波信号とに対して電力増幅処理を実行するように構成された、請求項1から3のいずれか一項に記載のモバイル通信端末。
【請求項５】
前記モバイル通信端末が、アンテナをさらに含み、前記無線周波電力増幅器が、無線周波信号出力端をさらに備え、前記無線周波電力増幅器が、前記無線周波信号出力端を使用することによって前記アンテナに、前記電力増幅処理の後のものである、データパケットの前記グループに対応する前記無線周波信号と、データパケットの前記別のグループに対応する前記無線周波信号と、パイロットデータの前記少なくとも一片に対応する前記無線周波信号とを送るように構成され、前記アンテナが、前記基地局に、前記電力増幅処理の後のものである、データパケットの前記グループに対応する前記無線周波信号と、データパケットの前記別のグループに対応する前記無線周波信号と、パイロットデータの前記少なくとも一片に対応する前記無線周波信号とを送るように構成された、請求項4に記載のモバイル通信端末。
【請求項６】
モバイル通信端末の無線周波電力増幅器を制御するための方法であって、前記モバイル通信端末が、基地局とのアップリンクトラフィックチャネルを確立し、前記モバイル通信端末が、信号処理モジュールと無線周波電力増幅器とを含み、前記方法が、
前記信号処理モジュールによって、前記無線周波電力増幅器の無線周波信号入力端に、データパケットの1つのグループに対応する無線周波信号を出力し、前記信号処理モジュールによって、前記無線周波電力増幅器のイネーブル信号入力端にイネーブル信号を同期的に出力するステップと、
データパケットの前記グループに対応する前記無線周波信号が前記無線周波信号入力端に出力された後の時間と、データパケットの別のグループに対応する無線周波信号が前記無線周波信号入力端に出力されるときの時間との間の持続時間内に、前記信号処理モジュールによって、第1の所定の持続時間内に前記イネーブル信号入力端に前記イネーブル信号を出力することを周期的に停止し、前記信号処理モジュールによって、第2の所定の持続時間内に前記無線周波信号入力端に、パイロットデータの少なくとも一片に対応する無線周波信号を出力し、前記信号処理モジュールによって、前記イネーブル信号入力端に前記イネーブル信号を同期的に出力するステップであって、前記第1の所定の持続時間が、前記基地局のパイロット検出タイムアウト持続時間よりも短く、データパケットの前記グループとデータパケットの前記別のグループとが、前記アップリンクトラフィックチャネルを介して送信される必要があるデータパケットである、出力するステップと
を含む、方法。
【請求項７】
データパケットの前記グループに対応する前記無線周波信号が前記無線周波信号入力端に出力された後に、前記イネーブル信号が、プリセット延長持続時間内に前記イネーブル信号入力端にさらに出力され続ける、請求項6に記載の方法。
【請求項８】
データパケットの前記グループと、データパケットの前記別のグループと、前記パイロットデータとが、1つまたは複数の無線フレーム中に記録される、請求項6または7に記載の方法。
【請求項９】
前記方法が、
前記無線周波電力増幅器によって、前記無線周波信号入力端に入力される、データパケットの前記グループに対応する前記無線周波信号と、データパケットの前記別のグループに対応する前記無線周波信号と、パイロットデータの前記少なくとも一片に対応する前記無線周波信号とに対して電力増幅処理を実行するステップをさらに含む、請求項6から8のいずれか一項に記載の方法。
【請求項１０】
前記モバイル通信端末が、アンテナをさらに含み、前記無線周波電力増幅器が、無線周波信号出力端をさらに備え、前記方法が、
前記無線周波電力増幅器によって、前記無線周波信号出力端を使用することによって前記アンテナに、前記電力増幅処理の後のものである、データパケットの前記グループに対応する前記無線周波信号と、データパケットの前記別のグループに対応する前記無線周波信号と、パイロットデータの前記少なくとも一片に対応する前記無線周波信号とを送るステップと、
前記アンテナによって、前記基地局に、前記電力増幅処理の後のものである、データパケットの前記グループに対応する前記無線周波信号と、データパケットの前記別のグループに対応する前記無線周波信号と、パイロットデータの前記少なくとも一片に対応する前記無線周波信号とを送るステップと
をさらに含む、請求項9に記載の方法。
【国際調査報告】
2015530775.tif 000008
2015530775.tif 000009
2015530775.tif 000010
2015530775.tif 000011